(57)【要約】【課題】乗客コンベアの設置作業を能率良く行うことができる乗客コンベアの欄干構造及び乗客コンベアの欄干設置方法の提供。【解決手段】本発明に係る欄干構造は、所定の工場で調整ライナ３１及びジャッキボルト３４を用いてトラスフレーム２に位置決めして固定されたインタフェースブラケット３０上に、当該乗客コンベア１の設置現場に配置されるパネルサポート３Ｅを含む欄干部品を設けた構成にしてある。欄干部品は、例えばステップＳの両側部に立設されるパネル３Ａ、及びこのパネル３Ａを保持し、インタフェースブラケット３０に固定されるパネルサポート３Ｅを含むブロック欄干３から成っている。パネルサポート３Ｅは、高い製品寸法精度を有する押出し成形部材から成っている。【選択図】図２
2014069929.tif 000002
【特許請求の範囲】
【請求項１】
トラスフレームの上方に欄干部品を設置した乗客コンベアの欄干構造において、
所定の工場でトラスフレームに位置決めして固定されたインタフェースブラケット上に、当該乗客コンベアの設置現場に配置されるパネルサポートを含む前記欄干部品を設けたことを特徴とする乗客コンベアの欄干構造。
【請求項２】
請求項１に記載の乗客コンベアの欄干構造において、
前記欄干部品は、ステップの両側部に立設されるパネル、及び前記パネルを保持し、前記インタフェースブラケットに固定されるパネルサポートを含むブロック欄干から成ることを特徴とする乗客コンベアの欄干構造。
【請求項３】
請求項２に記載の乗客コンベアの欄干構造において、
前記パネルサポートは、押出し成形部材から成ることを特徴とする乗客コンベアの欄干構造。
【請求項４】
トラスフレームの上方に欄干部品を設置する乗客コンベアの欄干設置方法において、
前記トラスフレームを製作した工場で、前記トラスフレームにインタフェースブラケットを位置決めして固定し、
当該乗客コンベアの設置現場で、前記トラスフレームに固定された前記インタフェースブラケット上に、パネルサポートを含む前記欄干部品を固定するようにしたことを特徴とする乗客コンベアの欄干設置方法。
【請求項５】
請求項４に記載の乗客コンベアの欄干設置方法において、
前記欄干部品は、ステップの両側部に立設されるパネル、及び前記パネルを保持し、前記インタフェースブラケットに固定されるパネルサポートを含むブロック欄干から成ることを特徴とする乗客コンベアの欄干設置方法。
【発明の詳細な説明】
【技術分野】
【０００１】
本発明は、トラスフレームの上方に欄干部品を設置した乗客コンベアの欄干構造及び乗客コンベアの欄干設置方法に関する。
【背景技術】
【０００２】
従来、乗客コンベアの欄干は以下のようにしてトラスフレームに設置されていた。この従来技術について、図７に基づいて説明する。
【０００３】
同図７に示すように、乗客コンベアは、無端状に連結されて移動する複数のステップＳと、これらのステップＳの左右両側に立設された欄干３と、この欄干３の上部に沿って設けられステップＳと同期して移動する図示しない移動手摺とを備えている。欄干３をトラスフレーム２に設置するに際しては、欄干３の主要部品であるパネル３Ａの下辺部を保持するパネルサポート３Ｅを、欄干３の重量及び利用客の重量を支える前述のトラスフレーム２の上弦材２Ａの上面に仮止めして設置する。この状態で、調整用ライナ３１、ジャッキボルト３４を介してパネルサポート３Ｅの上部に設置される外デッキ３Ｇの設置面の高さ方向の寸法精度を確保し、パネル３Ａの表面部と接するパネルサポート３Ｅの側面の水平方向の寸法精度を確保し、パネルサポート３Ｅの鉛直度の精度を確保するパネルサポート３Ｅの位置決め作業を行う。パネルサポート３Ｅの位置決め後に、このパネルサポート３Ｅをボルト３６によってトラスフレーム２の上弦材２Ａに締結固定する。その後、パネルサポート３Ｅに対して外デッキカバー３Ｇ、パネル３Ａ等の他の欄干３の部品が順次組み立てられる。この種の従来技術として特許文献１に示されるものがある。
【先行技術文献】
【特許文献】
【０００４】
【特許文献１】特開平７−２７７６４９号公報
【発明の概要】
【発明が解決しようとする課題】
【０００５】
上述した図７及び特許文献１に示される従来技術では、足場の確保が難しくなりやすい乗客コンベアの設置現場において、パネルサポートの精度出しを含む位置決め作業を行うことから、当該乗客コンベアの設置作業の能率の向上を見込めない問題があった。このため乗客コンベアの設置工期の短縮化の実現が困難であった。
【０００６】
本発明は、前述した従来技術における実情からなされたもので、その目的は、乗客コンベアの設置作業を能率良く行うことができる乗客コンベアの欄干構造及び乗客コンベアの欄干設置方法を提供することにある。
【課題を解決するための手段】
【０００７】
前記目的を達成するために、本発明に係る乗客コンベアの欄干構造は、トラスフレームの上方に欄干部品を設置した乗客コンベアの欄干構造において、所定の工場でトラスフレームに位置決めして固定されたインタフェースブラケット上に、当該乗客コンベアの設置現場に配置されるパネルサポートを含む前記欄干部品を設けたことを特徴としている。
【０００８】
また、前記目的を達成するために、本発明に係る乗客コンベアの欄干設置方法は、トラスフレームの上方に欄干部品を設置する乗客コンベアの欄干設置方法において、前記トラスフレームを製作した工場で、前記トラスフレームにインタフェースブラケットを位置決めして固定し、当該乗客コンベアの設置現場で、前記トラスフレームに固定された前記インタフェースブラケット上に、パネルサポートを含む前記欄干部品を固定するようにしたことを特徴としている。
【発明の効果】
【０００９】
本発明に係る乗客コンベアの欄干構造及び乗客コンベアの欄干設置方法は、足場の確保が比較的容易な所定の工場でトラスフレームにインタフェースブラケットを位置決め固定し、このように位置決め固定されたインタフェースブラケット上に、乗客コンベアの設置現場においてパネルサポートを含む欄干部品を設けるようにしたことから、従来におけるような設置現場における煩雑なパネルサポートの精度出しを含む位置決め作業が不要となり、当該乗客コンベアの設置作業を能率良く行うことができる。これにより本発明は、従来に比べて乗客コンベアの設置工期を短縮することができる。
【図面の簡単な説明】
【００１０】
【図１】本発明に係る欄干構造の一実施形態が備えられる乗客コンベアを示す側面図である。
【図２】図１のＡ−Ａ断面拡大図である。
【図３】本発明に係る乗客コンベアの欄干設置方法の一実施形態を説明する図で、トラスフレームにインタフェースブラケットを取り付けるときの状態を示す図である。
【図４】図３のＢ方向から見た図である。
【図５】本発明に係る乗客コンベアの欄干設置方法の一実施形態を説明する図で、トラスフレームに複数のインタフェースブラケットを取り付けた状態を示す側面図である。
【図６】本発明に係る乗客コンベアの欄干設置方法の一実施形態を説明する図で、インタフェースブラケットにブロック欄干を取り付けるときの状態を示す断面図である。
【図７】従来の乗客コンベアの欄干設置方法を説明する断面図である。
【発明を実施するための形態】
【００１１】
以下、本発明に係る乗客コンベアの欄干構造及び乗客コンベアの欄干設置方法の実施の形態を図面に基づいて説明する。
【００１２】
図１，２に示すように、本実施形態に係る乗客コンベアの欄干構造が備えられる乗客コンベア１は、トラスフレーム２上に取り付けられ、かつ無端状に連結されて移動する複数の踏段すなわちステップＳを備えている。このステップＳの左右に欄干、例えばブロック欄干３が設けられ、ブロック欄干３上にステップＳと同期して移動する移動手摺４が装着されている。
【００１３】
ブロック欄干３は、下部ターミナルブロック欄干５と、この下部ターミナルブロック欄干５に連設された複数の中間ブロック欄干６と、図示しない上部ターミナルブロック欄干とによって構成されている。
【００１４】
ブロック欄干３は、パネル３Ａと、このパネル３Ａ上に固定された図示しない移動手摺案内フレームと、パネル３Ａの下部をパネル縁３Ｃ及びパネル押板３Ｄとの間でボルト３Ｋによって狭圧し、パネル３Ａを鉛直状態に立設させて固定するパネルサポート３Ｅと、このパネルサポート３Ｅに締結された外デッキ用ブラケット３Ｆと、この外デッキ用ブラケット３Ｆの上面に固定された外デッキ３Ｇとを含んでいる。前述したパネルサポート３Ｅは、例えば製品寸法精度が高い押出し成形部材から成っている。ブロック欄干３は、予め乗客コンベア１を製作する工場等で組み立てられ、重量物を構成しており、乗客コンベア１の利用客の高所からの転落の防止等、利用客の安全確保に貢献している。また、このブロック欄干３は、移動手摺４の確実な摺動を実現させている。
【００１５】
ブロック欄干３の組立精度を確保するためには、重量物を支えるトラスフレーム２の上弦材２Ａにブロック欄干３を直接に乗せることは、トラスフレーム２の製作寸法精度上で問題がある。このために、ブロック欄干３とトラスフレーム２との間にインタフェースブラケット３０を介在させ、このインタフェースブラケット３０によってブロック欄干３とトラスフレーム２とを連結させてある。インタフェースブラケット３０とブロック欄干３のパネルサポート３Ｅとは、ボルト４１によって固定してある。トラスフレーム２の上弦材２Ａとインタフェースブラケット３０とは、ボルト３６によって固定してある。
【００１６】
本実施形態は、乗客コンベア１を製作する所定の工場でトラスフレーム２に位置決めして固定されたインタフェースブラケット３０上に、当該乗客コンベア１の設置現場に配置されるパネルサポート３０を含む欄干部品、すなわちブロック欄干３を設ける構成にしてある。所定の工場でトラスフレーム２にインタフェースブラケット３０を位置決め固定するに際しては、トラスフレーム２の上弦材２Ａとインタフェースブラケット３０との間に挿入される調整用ライナ３１と、トラスフレーム２の上弦材２Ａに対してインタフェースブラケット３０を昇降させるジャッキボルト３４とが活用される。したがって、インタフェースブラケット３０にジャッキボルト３４を装着させ、インタフェースブラケット３０とトラスフレーム２の上弦材２Ａとの間に調整用ライナ３１を挿入させた状態で、ブロック欄干３のパネルサポート３Ｅがボルト４１によってインタフェースブラケット３０に固定される。
【００１７】
インタフェースブラケット３０は、設置精度を確保する作業を容易にするために、例えば矩形形状の厚板から成っている。所定の工場におけるトラスフレーム２の上弦材２Ａに対するインタフェースブラケット３０の位置決め固定は、以下のようにして行われる。
【００１８】
図２に示すブロック欄干３のパネルサポート３Ｅの底面部３Ｉが設置される図３に示すインタフェースブラケット３０の上面３０Ａに対しては、トラスフレーム２内に組み込まれている図示しないステップ走行レールの上面からの所定の高さ寸法Ｈ１への位置合わせと、トラスフレーム２の幅方向（図３の紙面の左右方向）の水平度Ｚの確保を行う。所定の高さ寸法Ｈ１への位置合わせ、及び水平度Ｚの確保は、調整用ライナ３１とジャッキボルト３４を用いて行われる。また、図２に示すパネルサポート３Ｅの側面部３Ｊと当接する図３に示すインタフェースブラケット３０の側面３０Ｂに対しては、トラスフレーム２の幅方向の図示しない中心位置から所定の水平寸法Ｗ３の確保のための位置決めを行う。このようにして位置決めされた複数のインタフェースブラケット３０は、図３，４，５に示すように、ボルト３６によってトラスフレーム２の上弦材２Ａに締結固定される。
【００１９】
本実施形態に係る乗客コンベアの欄干設置方法について以下に説明する。
【００２０】
前述したように、乗客コンベア１の設置現場に搬入されて来るトラスフレーム２には、複数のインタフェースブラケット３０のそれぞれがトラスフレーム２を製作した工場で位置決め固定されている。
【００２１】
トラスフレーム２を設置現場に搬入した際には、トラスフレーム２の建物との位置合わせや、水平度の確保が行われる。
【００２２】
位置合わせ及び水平度の確保が終了したトラスフレーム２に固定したインタフェースブラケット３０の上に、ブロック欄干３が載置され、ボルト４１で締結固定される。ブロック欄干３はパネルサポート３Ｅの上部に設置される外デッキ３Ｇの設置精度の確保と、パネル３Ａの設置精度の確保が工場等において既になされている。したがって、図６に示すように、トラスフレーム２に固定されたインタフェースブラケット３０の側面３０Ｂにパネルサポート３Ｅの側面部３Ｊを当接させた状態で、インタフェースブラケット３０の上面３０Ａにパネルサポート３Ｅの底面部３Ｉを載置し、ボルト４１でインタフェースブラケット３０とパネルサポート３Ｅとが締結固定される。このように、設置現場においてブロック欄干３のパネルサポート３Ｅの精度出しを含む位置決め作業を要することなく、ブロック欄干３をインタフェースブラケット３０上に設けることができる。
【００２３】
本実施形態に係る乗客コンベアの欄干構造、及び乗客コンベアの欄干設置方法によれば、足場の確保が比較的容易な所定の工場でトラスフレーム２にインタフェースブラケット３０を位置決め固定し、このように位置決め固定されたインタフェースブラケット３０上に、乗客コンベア１の設置現場において、予め組み立てられたパネルサポート３Ｅを含むブロック欄干３を設けるようにしたことから、設置現場における煩雑なパネルサポート３Ｅの精度出しを含む位置決め作業が不要となり、当該乗客コンベア１の設置作業を能率良く行うことができる。これにより本実施形態は、乗客コンベア１の設置工期を短縮することができる。
【００２４】
また、本実施形態に係る乗客コンベアの欄干構造にあっては、パネルサポート３Ｅが製品寸法精度が高い押出し成形部材から成ることから、ブロック欄干３の高い組立精度の確保に貢献する。
【００２５】
なお、前述した実施形態では、インタフェースブラケット３０の上に、予め工場等で組み立てたブロック欄干３を設けるようにしたが、このようなブロック欄干３を設けずに、工場でトラスフレーム２に位置決め固定されたインタフェースブラケット３０の上に、乗客コンベア１の設置現場においてパネルサポート３Ｅを含む単品の欄干部品を順次組み立てるようにしてもよい。
【符号の説明】
【００２６】
１    乗客コンベア
２    トラスフレーム
２Ａ  上弦材
３    ブロック欄干
３Ａ  パネル
３Ｃ  パネル縁
３Ｄ  パネル押板
３Ｅ  パネルサポート
３Ｆ  外デッキ用ブラケット
３Ｇ  外デッキ
３Ｉ  底面部
３Ｊ  側面部
３Ｋ  ボルト
３０    インタフェースブラケット
３０Ａ  上面
３０Ｂ  側面
３１    調整用ライナ
３４    ジャッキボルト
３６    ボルト
４１    ボルト
Ｈ１    高さ寸法
Ｗ３    水平寸法
Ｚ    水平度
Ｓ    ステップ
【図１】
2014069929.tif 000003
【図４】
2014069929.tif 000004
【図５】
2014069929.tif 000005
【図２】
2014069929.tif 000006
【図３】
2014069929.tif 000007
【図６】
2014069929.tif 000008
【図７】
2014069929.tif 000009